(57)【要約】【課題】データファイルに基づくファクシミリ画像を公衆電話交換回線網を介して送信することができる。【解決手段】実施形態のファクシミリサーバは、外部機器から電話番号に関連するメタ情報及び送信情報を含む送信ファイルを受信する通信部と、前記送信情報をファクシミリ画像に変換するファクシミリ画像生成部と、前記メタ情報から前記電話番号を取得する電話番号処理部と、前記電話番号処理部が取得した電話番号によって公衆電話交換回線網に接続して、前記ファクシミリ画像を前記公衆電話交換回線網に送信するＦＡＸモデム処理部とを具備する。【選択図】図１
2014053690.tif 000002
【特許請求の範囲】
【請求項１】
外部機器から電話番号に関連するメタ情報及び送信情報を含む送信ファイルを受信する通信部と、
前記送信情報をファクシミリ画像に変換するファクシミリ画像生成部と、
前記メタ情報から前記電話番号を取得する電話番号処理部と、
前記電話番号処理部が取得した電話番号によって公衆電話交換回線網に接続して、前記ファクシミリ画像を前記公衆電話交換回線網に送信するＦＡＸモデム処理部と
を具備するファクシミリサーバ。
【請求項２】
前記電話番号処理部は、画像情報である前記メタ情報から文字読み取り処理によって前記電話番号を取得する
請求項１に記載のファクシミリサーバ。
【請求項３】
公衆電話交換回線網を介して受信したファクシミリ信号に基づくファクシミリ画像を記憶すると共に、ファクシミリ画像を受信したことを示す通知を前記外部機器に対して行う受信情報管理部
を具備した請求項１又は２に記載のファクシミリサーバ。
【請求項４】
１つ以上の前記外部機器と、
請求項１に記載のファクシミリサーバと
を具備するファクシミリシステム。
【請求項５】
前記外部機器は、前記電話番号の画像を前記メタ情報として送信する
請求項４に記載のファクシミリシステム。
【発明の詳細な説明】
【技術分野】
【０００１】
本発明の実施形態は、ファクシミリサーバ及びファクシミリサーバシステムに関する。
【背景技術】
【０００２】
従来、一般家庭においてファクシミリ装置が普及している。ファクシミリ装置は、一般の電話機と同様に、公衆電話交換回線網（ＰＳＴＮ網）に接続して利用するようになっており、画像を２値化して伝送する。ファクシミリ装置によって、画像通信を行うためには、ファクシミリ装置に送信用紙をセットした後、ダイヤル等により送信先の回線番号（加入者番号）を入力する。
【０００３】
ファクシミリ装置は入力した回線番号に基づくダイヤル信号をＰＳＴＮ網に送信することで、送信先のファクシミリ装置との間で通信を行う。ファクシミリ装置はセットされている送信用紙の画像情報を２値情報であるファクシミリ信号に変換し、相手機器に所定の通信手順に従って送信する。
【０００４】
しかしながら、ファクシミリ装置によって画像送信を行うためには、送信する画像が書かれた用紙を用意する必要がある。
【０００５】
なお、パーソナルコンピュータ（以下、ＰＣともいう）を利用して、PSTN網やインターネット網（ＩＰ通信網）を介してファクシミリ画像を送信するシステムは開発されているが、常にＰＣの電源を投入していなければならず、かつＰＳＴＮ網用の電話配線やイーサネット（登録商標）ケーブルを常時ＰＣに接続していなければならないため、ＰＣを利用したＰＳＴＮ網やインターネット網を介してファクシミリ画像を送受信するファクシミリ装置は、実質的に普及しておらず、利用が限られているのが現状である。
【先行技術文献】
【特許文献】
【０００６】
【特許文献１】特開２００７−２０８９５７号公報
【発明の概要】
【発明が解決しようとする課題】
【０００７】
本発明の実施形態は、データファイルに基づくファクシミリ画像を公衆電話交換回線網を介して送信することができるファクシミリサーバ及びファクシミリサーバシステムを提供することを目的とする。
【課題を解決するための手段】
【０００８】
実施形態のファクシミリサーバは、外部機器から電話番号に関連するメタ情報及び送信情報を含む送信ファイルを受信する通信部と、前記送信情報をファクシミリ画像に変換するファクシミリ画像生成部と、前記メタ情報から前記電話番号を取得する電話番号処理部と、前記電話番号処理部が取得した電話番号によって公衆電話交換回線網に接続して、前記ファクシミリ画像を前記公衆電話交換回線網に送信するＦＡＸモデム処理部とを具備する。
【図面の簡単な説明】
【０００９】
【図１】本発明の一実施の形態に係るファクシミリサーバを示すブロック図。
【図２】ファクシミリサーバ１０と外部機器とが連携したファクシミリシステムを説明するための説明図。
【図３】外部機器において、ファクシミリサーバ１０に送信する送信ファイルを生成する部分の回路構成を示すブロック図。
【図４】外部機器において送信ファイルを生成、送信するための動作フローを示すフローチャート。
【図５】外部機器において送信ファイルを生成、送信するための動作フローを示すフローチャート。
【図６】実施の形態の動作を説明するためのフローチャート。
【発明を実施するための形態】
【００１０】
以下、図面を参照して本発明の実施の形態について詳細に説明する。図１は本発明の一実施の形態に係るファクシミリサーバを示すブロック図である。
【００１１】
ファクシミリサーバ１０は、ＦＡＸモデム処理部１３及びＰＳＴＮ網インタフェース１４を有している。ＦＡＸモデム処理部１３は、制御部１１に制御されて、ＰＳＴＮ網に対してファクシミリ送受信に必要な信号の送受を行う。このＦＡＸモデム処理によって、ＭＨ（Modified Huffman）、ＭＲ（Modified READ）、ＭＭＲ（Modified Modified READ）等の２値画像の圧縮符号によって圧縮されたファクシミリ画像は、Ｇ３，Ｇ４等のＦＡＸ伝送標準規格にてＰＳＴＮ網に送出される。
【００１２】
ＰＳＴＮ網インタフェース１４は、制御部１１に制御されて、ＰＳＴＮ網との間で通信を行い、ＰＳＴＮ網からのファクシミリ信号を受信すると共に、制御部１１からのファクシミリ信号をＰＳＴＮ網を介して送信する。
【００１３】
また、ファクシミリサーバ１０には表示部１５及び操作部１６も設けられている。表示部１５は制御部１１から与えられる表示情報に基づく表示を行う。これにより、表示部１５は、ＦＡＸ送信のためのメニュー表示等を表示することができるようになっている。操作部１６は図示しないキーボードやスイッチ等を有しており、各種設定、電話番号の入力、各種機能を実現するためのユーザ操作に基づく操作信号を制御部１１に出力する。なお、本実施の形態においては、表示部１５及び操作部１６は必ずしも必須の構成ではなく、これらを省略した場合でもファクシミリ信号の送受はが可能である。
【００１４】
本実施の形態においては、ファクシミリサーバ１０には、通信処理部１８が設けられている。通信処理部１８は、制御部１１に制御されて、アンテナ１８ａを介して無線通信により外部機器との間で通信が可能である。例えば、通信処理部１８は、無線ＬＡＮ、ブルートゥース（登録商標）等の各種無線通信により、外部機器との間で通信を行う。なお、通信処理部１８は、無線通信に限らず、イーサネット（登録商標）に代表される有線通信によって外部機器との間で通信を行ってもよい。この場合は、アンテナ１８ａは不要となり、通信処理部１８によって、外部機器から送信された各種データファイルを受信可能である。
【００１５】
本実施の形態においては、ファクシミリサーバ１０にはＦＡＸ画像生成部１９が設けられている。ＦＡＸ画像生成部１９は、制御部１１に制御されて、各種データファイルをＭＨ、ＭＲ、ＭＭＲ等のＦＡＸ伝送用画像フォーマットに変換することができるようになっている。例えば、ＦＡＸ画像生成部１９は、ＪＰＥＧ、ＢＭＰ、ＰＤＦ、各種ワープロ形式、ＣＡＤ形式、表計算形式、テキストファイル等をＦＡＸ伝送用画像フォーマットのファクシミリ画像に変換可能である。
【００１６】
記録再生部１７は、制御部１１に制御されて、制御部１１から与えられた各種データを記録すると共に、記録されているデータを再生して制御部１１に出力する。例えば、記録再生部１７は、ＦＡＸ画像生成部１９において生成されたファクシミリ画像を記録することができる。
【００１７】
なお、記録再生部１７としては、ＳＤカード等のカードインタフェースを採用してもよく、また、内蔵の不揮発性メモリ等を採用してもよい。
【００１８】
本実施の形態におけるファクシミリサーバ１０は、外部機器からデータが入力され、入力されたデータに基づく画像をファクシミリ送信する。図２はこのようなファクシミリサーバ１０と外部機器とが連携したファクシミリシステムを説明するための説明図である。
【００１９】
ファクシミリサーバ１０には、図１の表示部１５及び操作部１６に相当する電話親機１０ａが着脱自在に設けられている。電話親機１０ａとファクシミリサーバ１０とは、ファクシミリサーバ１０に設けられた図示しない接点端子を介して通信可能である。また、電話親機１０ａとファクシミリサーバ１０とは、無線ＬＡＮやブルートゥース（登録商標）等の無線通信によっても通信可能である。
【００２０】
ファクシミリサーバ１０は、通信処理部１８によって無線ネットワーク、例えば無線ＬＡＮネットワークを構築しており、無線ＬＡＮネットワークの通信可能領域内に存在する外部機器２２，２３との間で無線通信が可能である。また、ファクシミリサーバ１０は、ブルートゥース（登録商標）や無線ＬＡＮ等によって電話子機２１との間でも通信可能である。
【００２１】
外部機器２２は多機能周辺機器（Multifunction Peripheral）であり、例えば、プリンタ機能、スキャナ機能、コピー機能等を有し、これらの機能によって取得した画像情報を無線ＬＡＮネットワーク経由でファクシミリサーバ１０に送信可能に構成されている。外部機器２３はパーソナルコンピュータ（ＰＣ）であり、画像データ、ワープロデータ、ＣＡＤデータ、表計算データ、テキストデータ等を無線ＬＡＮネットワーク経由でファクシミリサーバ１０に送信可能に構成されている。なお、外部機器としてはファクシミリ画像の元となる各種データファイルを送信可能な種々の機器を採用することができ、例えば、スマートフォン等を採用してもよい。本願構成のポイントは、外部機器２２から送信される画像情報が外部機器２３やスマートフォンからファクシミリサーバ１０へ送信される情報と同種の形式であることである。例えば、ＪＰＥＧ、ＢＭＰ、ＰＤＦ、各種ワープロ形式、ＣＡＤ形式、表計算形式、テキストファイル等のファイル形式である。
【００２２】
ところで、一般的なファクシミリ装置は、電話番号を入力するための操作部が設けられており、この操作部の操作によって相手側の電話番号が指定され、指定された相手側の電話番号によってＦＡＸモデムを制御することで、ＰＳＴＮ網を介したファクシミリ通信が可能である。
【００２３】
本実施の形態においては、外部機器であるＰＣ等が送信画像を指定するようになっているが、ＰＣ等からは無線ＬＡＮを経由してＦＡＸモデムを直接制御することはできない。そこで、ファクシミリサーバ１０は、外部機器からの情報によって電話番号を抽出する電話番号処理部１２を備える。
【００２４】
一方、外部機器は、電話番号等の情報を送信ファイルのメタ情報として送信する。例えば、外部機器は、送信ファイルの属性中に電話番号の情報をメタ情報として含めたり、送信ファイルとは別ファイルで電話番号の情報を送信する。また、外部機器は、送信ファイルに含まれる送信画像の所定の位置、例えば用紙の１枚目に電話番号が記載された画像を添付し、２枚目以降に実際の送信画像が配置された送信ファイルを生成してもよい。
【００２５】
また、例えば、用紙に印刷されている画像を外部機器２２からファクシミリ送信する場合において、用紙の先頭の位置に電話番号を記述しておくことも考えられる。外部機器２２はスキャナ機能によって、送信する電話番号が記述された送信画像を読み込んで、ファクシミリサーバ１０に画像情報として送信する。
【００２６】
図３はこのような外部機器において、ファクシミリサーバ１０に送信する送信ファイルを生成する部分の回路構成を示すブロック図である。また、図４及び図５は外部機器において送信ファイルを生成、送信するための動作フローを示すフローチャートである。
【００２７】
送信情報生成部３１は、送信すべきファクシミリ画像の元となる送信情報を生成する。例えば、外部機器がパーソナルコンピュータである場合には、送信情報生成部３１を各種アプリケーションプログラムによって構成することができる。また、例えば、外部機器がスキャナである場合には、送信情報生成部３１は、用紙のスキャンによって送信情報である画像情報を生成することができる。また、メタ情報生成部３２は、電話番号の情報を含むメタ情報を生成する。メタ情報には、例えば、ファイル作成日時、送付日時等の情報を含んでもよい。
【００２８】
図４及び図５は外部機器がスキャナである場合の送信ファイルの生成及び送信フローを示している。外部機器は、ステップＳ１において用紙をスキャンすることで、送信情報生成部３１は送信情報を生成する（ステップＳ２）。スキャナに電話番号の入力操作部がある場合には、この操作部の操作によって（ステップＳ３）、メタ情報生成部３２はメタ情報を生成する（ステップＳ４）。また、スキャナに電話番号等の入力操作部が存在しない場合等においては、メタ情報生成部３２は、用紙のスキャンによって得た電話番号の画像の画像認識処理によって（ステップＳ８）、メタ情報を生成する。なお、このメタ情報は、電話番号を含む画像の画像情報であってもよく、この画像情報に対する文字読み取り処理によって読み取ってコード化されたデータであってもよい。
【００２９】
更に、メタ情報生成部３２は、画像認識処理によって電話番号の画像を認識するのではなく、電話番号を用紙の規定の位置、或いは決められた用紙等に記載しておくことにより、その位置から電話番号を認識してメタ情報を生成するようにしてもよい。また、例えば、電話番号を朱色でマークする等、電話番号の記入と分かる特定の図形を含む画像とすることで、メタ情報生成部３２が電話番号の記載部分であると認識可能にすることもできる。
【００３０】
なお、外部機器がパーソナルコンピュータ（ＰＣ）である場合には、メタ情報生成部３２はユーザによる入力操作や住所録データから電話番号を含むメタ情報を生成することができる。
【００３１】
送信ファイル生成部３３は、送信情報生成部３１及びメタ情報生成部３２の出力があたえられ、送信ファイルを生成する（ステップＳ５）。なお、送信ファイル生成部３３は、送信情報とメタ情報とを含む送信ファイルを生成してもよく、送信情報に基づく送信ファイルとメタ情報に基づくメタ情報ファイルとを別ファイルで生成してもよい。例えば、送信ファイル生成部３３は、送信画像の元となる送信ファイルのファイル名をｘｘｘｘ．ｄｏｃ（文書ファイル）とし、メタ情報のファイル名をｘｘｘｘ．ｉｎｆやｘｘｘｘ．ｈｔｍｌ等としてもよい。なお、メタ情報は、隠しファイルであってもよく、通常属性のファイルであってもよい。メタ情報をｈｔｍｌ等のマークアップ言語で記述した場合には、パーソナルコンピュータ等において、メタ情報の確認作業等を簡単に行うこともできる。
【００３２】
なお、以後説明の簡略化のために、外部機器からの送信ファイルとは、送信情報に基づく送信ファイルとメタ情報に基づくメタ情報ファイルとの２つのファイルを含むファイルのこと、又は、送信情報及びメタ情報を含む１つのファイルのことの両方の場合を含むものとする。
【００３３】
送信ファイル生成部３３は、生成した送信ファイルをファクシミリサーバ１０に送信する（ステップＳ６）。なお、この送信処理は、外部機器に設けた図示しない送信ボタン等のユーザ操作によって行うようにしてもよく、ユーザのスキャンのための操作又は電話番号の入力操作等によって、スキャン終了後に自動的に行うようにしてもよい。更に、外部機器において生成した送信ファイルを図示しない記録メディアに記録し、ファクシミリサーバ１０からこの記録メディアへのアクセス処理に応答して、送信処理を行うようにすることも可能である。
【００３４】
外部機器は、メタ情報を、送信ファイルの作成時に、自動的に生成するように構成することができる。また、マルチキャスト（複数の相手）への送付を考慮した場合には、外部機器は、メタ情報を送信ファイルとは別に管理して、必要に応じて削除や追加を送信直前まで行えるようにしておくことも考えられる。
【００３５】
ファクシミリサーバ１０の電話番号処理部１２は、制御部１１に制御されて、送信ファイルのメタ情報に含まれる電話番号の情報を抽出してＦＡＸモデム処理部１３に指定するようになっている。例えば、通信処理部１８が受信した画像情報中に電話番号のメタ情報が画像情報として含まれる場合には、電話番号処理部１２は、画像情報から文字を読み取る文字読み取り処理によって、電話番号を抽出する。
【００３６】
こうして、ＰＣ等の外部機器２２，２３等は、ファクシミリサーバ１０に電話番号がメタ情報として付加されたファイルを送信することにより、送信ファイルに対応したファクシミリ画像を指定する相手先にファクシミリ送信することが可能である。
【００３７】
ファクシミリサーバ１０は、ファクシミリ信号の送信だけでなく、ファクシミリ信号の受信も可能である。ＦＡＸモデム処理部１３は、ＰＳＴＮ網インタフェース１４を介して受信したファクシミリ信号から、ファクシミリ画像を抽出して受信情報管理部２０に出力する。受信情報管理部２０は、受信したファクシミリ画像をファイル化して記録再生部１７に記録する。この場合には、受信情報管理部２０は、受信したファクシミリ画像に対応させて発信者の電話番号、受信日時の情報等を同時に記録する。
【００３８】
なお、受信情報管理部２０は、ファクシミリ画像をＪＰＥＧ、ＰＤＦ、ＢＰＭ形式等のファイルに変換した後、記録再生部１７に記録するようにしてもよい。更に、制御部１１は、受信情報管理部２０によってファクシミリ画像が記録されたことを、通信処理部１８を介して外部機器に通知する機能を有していてもよい。また、更に、制御部１１は、受信情報管理部２０によって記録されたファクシミリ画像を、通信処理部１８を介して外部機器に転送する機能を有していてもよい。
【００３９】
制御部１１は、例えば汎用ＭＣＵ（マイクロコントローラ）によって構成されて、各部を制御してファクシミリ（ＦＡＸ）機能を実現する。なお、ＦＡＸモデム処理部１３、電話番号処理部１２及びＦＡＸ画像生成部１９等の機能を、汎用ＭＣＵによって構成することも可能であり、この場合には、制御部１１は、操作制御、ＰＳＴＮ回線制御、電話番号抽出処理、ＦＡＸ画像生成処理、ＦＡＸモデム処理等の機能を実現することができる。
【００４０】
また、制御部１１は、送信履歴、受信履歴を記録再生部１７に記録させることができる。また、制御部１１には、ウェブサーバ機能を付加してもよい。この場合には、送信履歴及び受信履歴の情報を外部機器からアプリケーションを利用して参照、変更、削除等が可能である。
【００４１】
次に、このように構成された実施の形態の動作について図６のフローチャートを参照して説明する。
【００４２】
図６のステップＳ１１において、通信処理部１８は、外部機器からの送信ファイルを受信する。送信ファイルにはメタ情報が含まれている。通信処理部１８は、送信ファイルに含まれているメタ情報を抽出する（ステップＳ１２）。なお、メタ情報が送信ファイルに含まれておらず別ファイルとして送信された場合には、通信処理部１８はこのメタ情報ファイルも受信して（ステップＳ１１）、メタ情報を取得する（ステップＳ１２）。
【００４３】
通信処理部１８は、送信ファイルに含まれる送信情報をＦＡＸ画像生成部１９に与える。例えば、送信情報としては、ＪＰＥＧやＰＤＦ等の画像形式の情報だけでなく、ワープロやＣＡＤや表計算等の各種情報が含まれる。ＦＡＸ画像生成部１９は、これらの各種情報をファクシミリ画像に変換する（ステップＳ１３）。
【００４４】
また、電話番号処理部１２は、メタ情報から電話番号を抽出し（ステップＳ１４）、抽出した電話番号をＦＡＸモデム処理部１３に設定する。なお、メタ情報が、電話番号を文字コード等にコード化して生成されたものである場合には、電話番号処理部１２は、コード化された電話番号をそのままＦＡＸモデム処理部１３に与える。また、メタ情報が、電話番号の文字の形状を示す画像情報として生成されている場合には、電話番号処理部１２は、画像情報から文字読み取り処理によって電話番号を取得してＦＡＸモデム処理部１３に与える。
【００４５】
ＦＡＸモデム処理部１３は、電話番号処理部１２によって設定された電話番号に基づくダイヤル信号をＰＳＴＮ網インタフェース１４を介してＰＳＴＮ網に送信し（ステップＳ１５）、相手先との回線が開通すると、ＦＡＸ画像生成部１９によって生成されたファクシミリ画像を、ＦＡＸ伝送標準規格に従ってＰＳＴＮ網インタフェース１４を介してＰＳＴＮ網に送信する（ステップＳ１６）。
【００４６】
ファクシミリ画像の送信が完了すると、制御部１１は、通信処理部１８を介して、送信ファイルを送信した外部機器に対して、送信完了の通知を行う（ステップＳ１７）。
【００４７】
なお、ＰＳＴＮ網インタフェース１４を介して、ＰＳＴＮ網からのファクシミリ信号が受信されることもある。受信されたファクシミリ信号は、ＦＡＸモデム処理部１３によってファクシミリ画像に変換される。受信情報管理部２０は、受信されたファクシミリ画像をファイル化して記録再生部１７に記録する。また、受信情報管理部２０は、受信したファクシミリ画像に対応させて発信者の電話番号、受信日時の情報等を同時に記録する。制御部１１は、受信情報管理部２０によってファクシミリ画像が記録されたことを、通信処理部１８を介して全ての外部機器に通知する。外部機器は、記録再生部１７に記録された受信内容を通信処理部１８を介して取り出すことも可能である。
【００４８】
このように本実施の形態においては、外部機器において、ファクシミリ画像の元となる送信情報と電話番号の情報を含むメタ情報とを生成して送信する。ファクシミリサーバは、送信ファイルを受信して送信情報及びメタ情報を取得し、送信情報をファクシミリ画像に変換すると共にメタ情報から電話番号を抽出する。ファクシミリサーバは、抽出した電話番号をＦＡＸモデム処理部に設定することで、ファクシミリ画像の送信を行う。このように、ファクシミリサーバを利用することで、パーソナルコンピュータや多機能周辺機器等から、無線LANやブルートゥース等の無線システムを介するデータ通信によってＰＳＴＮ網にファクシミリ画像の送信が可能である。
【００４９】
従来は、パーソナコンピュータで作成したデータに基づく画像をファクシミリ送信しようとすると、一旦このデータに基づいて印刷を行い、ファクシミリ装置において印刷した用紙をスキャンさせて、電話番号を手入力するという操作が必要であり、パーソナルコンピュータ（ＰＣ）において処理可能なデータを元に既存のＰＳＴＮ網にファクシミリ送信を行うことは極めて煩雑であった。また、FAXモデム内蔵のＰＣの場合は、ＰＳＴＮ回線用のケーブルを接続しなければならず、特に受信機能までを実現するには、常時ＰＣを動作させて居なければならない等の制約があった。
【００５０】
これに対し、本実施の形態においては、パーソナルコンピュータ等において、ファクシミリ画像の元となる送信情報及びメタ情報を生成してファイルを出力するという簡単な操作によって、ＰＳＴＮ網へのファクシミリ送信が可能である。ファクシミリ送信のための印刷操作は不要であり、煩雑な操作を行うことなく、ファクシミリ送信が可能である。また、電話番号を記載した画像をメタ情報として用いることができ、電話番号の入力操作部を有していない外部機器であっても、ファクシミリ送信が可能である。また、ＦＡＸ送信機能を有していないスキャナ等を用いた場合でも、従来のＦＡＸ送信操作と同様の操作のみによって、ＰＳＴＮ網へのファクシミリ送信が可能である。
【００５１】
本発明は、上記実施形態に限定されるものではなく、実施段階ではその要旨を逸脱しない範囲で種々に変形することが可能である。また、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００５２】
１０…ファクシミリサーバ、１１…制御部、１２…電話番号処理部、１３…ＦＡＸモデム処理部、１４…ＰＳＴＮ網インタフェース、１７…記録再生部、１８…通信処理部、１９…ＦＡＸ画像生成部、２０…受信情報管理部。
【図１】
2014053690.tif 000003
【図２】
2014053690.tif 000004
【図３】
2014053690.tif 000005
【図４】
2014053690.tif 000006
【図５】
2014053690.tif 000007
【図６】
2014053690.tif 000008